(57)【要約】【課題】平常時にあっては美観上、また交通上の自由度を損なうことなく、且つ緊急時には容易に設置可能な可搬式越水防止装置を提供することである。【解決手段】本発明は、可搬式越水防止装置において、地中に埋設され地上に開口を有し、所定間隔で配置される複数のポストホールと、平常時は前記ポストホールに収納され、緊急時に前記ポストホールから引き上げ可能な親杭と、前記ポストホールから引き上げた親杭と該ポストホールの隣のポストホールから引き上げた親杭との間に張る横矢板と、を備えたことを特徴とする。【選択図】図１
2011047150.tif 000002
【特許請求の範囲】
【請求項１】
地中に埋設され地上に開口を有し、所定間隔で配置される複数のポストホールと、
平常時は前記ポストホールに収納され、緊急時に前記ポストホールから引き上げ可能な親杭と、
前記ポストホールから引き上げた親杭と該ポストホールの隣のポストホールから引き上げた親杭との間に張る横矢板と、
を備えたことを特徴とする可搬式越水防止装置。
【請求項２】
前記親杭の溝および該親杭の隣の親杭の溝に前記横矢板を嵌め込むことによって該横矢板を張ることを特徴とする請求項１に記載の可搬式越水防止装置。
【請求項３】
前記親杭の溝および該親杭の隣の親杭の溝の、前記横矢板を嵌め込む個所に遮水材を設けていることを特徴とする請求項１に記載の可搬式越水防止装置。
【請求項４】
前記横矢板が複数の板を高さ方向に接いでなることを特徴とする請求項１に記載の可搬式越水防止装置。
【請求項５】
前記横矢板を構成する複数の板の接ぎ個所がホゾで接いでなることを特徴とする請求項４に記載の可搬式越水防止装置。
【請求項６】
前記ポストホールが前記親杭を収納したときに前記ポストホールの開口を閉じる蓋を有することを特徴とする請求項１に記載の可搬式越水防止装置。
【請求項７】
前記親杭が、前記ポストホールに収納されるときには閉じ、前記ポストホールから引き上げて設置するときには、水圧がかかる側の反対側に広げることが可能な親杭補強斜材を有することを特徴とする請求項１に記載の可搬式越水防止装置。
【請求項８】
前記横矢板の下部と地面との間に横矢板固定用部材を埋設し、前記横矢板固定用部材に設けた溝に前記横矢板の下部を嵌め込んで設置することを特徴とする請求項１に記載の可搬式越水防止装置。
【請求項９】
前記ポストホールから引き上げた親杭を固定する親杭固定ピンを設けたことを特徴とする請求項１に記載の可搬式越水防止装置。
【発明の詳細な説明】
【技術分野】
【０００１】
本発明は可搬式越水防止装置に関する。
【背景技術】
【０００２】
従来、堤防の天端が洪水時の水位よりも低いような場合、洪水時の水位よりも高くなる計画堤防を完成させるまでの間の緊急時対応として、堤防となる部材を運び込んで組み付けたり、すでに設置してある部材を堤防として用いたりする必要があった。
【０００３】
特許文献１には、平常時には、縦に４枚並べた板のうち下から１枚目の板および３枚目の板をそれぞれ下から２枚目の板および４枚目の板に重なるように跳ね上げておいてガードレールとして利用可能とし、緊急時には、下から１枚目の板および３枚目の板を下に降ろして堰板として用いる防水防護柵が開示されている。
【先行技術文献】
【特許文献】
【０００４】
【特許文献１】特開２００１−１８２０２７号公報
【発明の概要】
【発明が解決しようとする課題】
【０００５】
ところが、この特許文献１に記載の防水防護柵は、平常時にもガードレールとして常に天端に存在するものであるため、美観上、また交通上の自由度が低いといった問題があった。これに対応し、防水防護柵を取り外し可能とすることが考えられるが、取り外した防水防護柵はたとえば水防小屋に保管しておくことになり、緊急時にそれを運び出して設置するのは非常に困難であるという問題があった。
【０００６】
本発明は上記の点にかんがみてなされたもので、平常時にあっては美観上、また交通上の自由度を損なうことなく、且つ緊急時には容易に設置可能な可搬式越水防止装置を提供することを目的とする。
【課題を解決するための手段】
【０００７】
本発明は上記の目的を達成するために、可搬式越水防止装置において、地中に埋設され地上に開口を有し、所定間隔で配置される複数のポストホールと、平常時は前記ポストホールに収納され、緊急時に前記ポストホールから引き上げ可能な親杭と、前記ポストホールから引き上げた親杭と該ポストホールの隣のポストホールから引き上げた親杭との間に張る横矢板と、を備えたことを特徴とする。
【発明の効果】
【０００８】
本発明によれば、平常時にあっては美観上、また交通上の自由度を損なうことなく、且つ緊急時には容易に設置可能な可搬式越水防止装置を提供することができる。都市部における集中豪雨や洪水により市街地が冠水した場合、地下街や地下鉄入口から地下施設への浸水を防ぐ機能としても有効である。
【図面の簡単な説明】
【０００９】
【図１】本発明による可搬式越水防止装置の一実施形態の概要を示す斜視図であり、（ａ）は平常時における可搬式越水防止装置を収納した状態を示す斜視図であり、（ｂ）は緊急時における可搬式越水防止装置を設置した状態を示す斜視図である。
【図２】本実施形態の可搬式越水防止装置におけるポストホールを示す図であり、（ａ）はポストホールの平面図であり、（ｂ）はポストホールの正面図であり、（ｃ）はポストホールの蓋を開けた状態での正面図である。
【図３】本実施形態の可搬式越水防止装置における親杭を示す図であり、（ａ）は親杭の平面図であり、（ｂ）は（ａ）の正面図であり、（ｃ）は（ａ）を反時計回りに９０度回転させた平面図であり、（ｄ）は（ｃ）の正面図であり、（ｅ）は（ｃ）において親杭補強斜材を広げた状態の平面図であり、（ｆ）は（ｅ）の正面図である。
【図４】本実施形態の可搬式越水防止装置における横矢板を示す図であり、（ａ）は横矢板を構成する板のうち最下段の板の平面図であり、（ｂ）は最下段の板の正面図であり、（ｃ）は最下段の板の右側面図であり、（ｄ）は横矢板を構成する板のうち下から２番目、３番目および４番目（最上段）の板の平面図であり、（ｅ）は（ｃ）の板の正面図であり、（ｆ）は（ｃ）の板の右側面図である。
【図５】本実施形態の可搬式越水防止装置における横矢板固定用部材を示す図であり、（ａ）は横矢板固定用部材の平面図であり、（ｂ）は横矢板固定用部材の正面図であり、（ｃ）は横矢板固定用部材の右側面図である。
【図６】本実施形態の可搬式越水防止装置の設置時の親杭近傍を示す斜視図である。
【図７】図６の破線で囲んだ部分Ａを拡大して示す斜視図である。
【図８】図６の破線で囲んだ部分Ｂを拡大して示す斜視図である。
【図９】図６の破線で囲んだ部分Ｃを拡大して示す斜視図である。
【発明を実施するための形態】
【００１０】
以下、本発明の実施形態について図面を参照して説明する。
【００１１】
図１は、本発明による可搬式越水防止装置の一実施形態の概要を示す斜視図であり、（ａ）は平常時における可搬式越水防止装置を収納した状態を示す斜視図であり、（ｂ）は緊急時における可搬式越水防止装置を設置した状態を示す斜視図である。
【００１２】
図１（ａ）を参照して分かるように、平常時の河川１００の水位は、堤防１０１の天端１０２よりも低く、河川１００の水が堤内地に流れ込むことはない。
【００１３】
一方、大雨などにより河川１００の水位が上昇する緊急時になると、堤防１０１の天端１０２よりも高くなってしまう虞がある（図１（ｂ）参照）。本実施形態の可搬式越水防止装置は、このような場合に、河川１００の水位よりも高い横矢板２２を形成し、河川１００の水が堤内地に流れ込むことを防ぐ。
【００１４】
本実施形態の可搬式越水防止装置は、天端１０２にポストホール１０を所定間隔で埋設して配置し、図１（ａ）に示す平常時にはポストホール１０内に親杭２１を収納し、図１（ｂ）に示す緊急時にはポストホール１０内の親杭２１を引き上げて、立て込み、隣り合った親杭２１の間に、４枚の板２２−１、２２−２、２２−３、２２−４を面を広げるように高さ方向に接いでなる横矢板２２を嵌め込んで張り、このとき一番下（最下段）の板２２−１の下方を横矢板固定用部材１１の溝３５（詳しくは後述する）に嵌め込む。また、親杭２１は、河川１００の水による圧力に耐え得るように親杭補強斜材２３によって支えられる。
【００１５】
以下、本発明の可搬式越水防止装置の各部材について図面を参照しながら詳細に説明する。
【００１６】
図２は、本実施形態の可搬式越水防止装置におけるポストホールを示す図であり、（ａ）はポストホールの平面図であり、（ｂ）はポストホールの正面図であり、（ｃ）はポストホールの蓋を開けた状態での正面図である。
【００１７】
このポストホール１０は、図１（ａ）および（ｂ）に示すように、横矢板２２の幅に応じた所定間隔で天端１０２に埋設して配置される。
【００１８】
図２（ａ）に示すように、ポストホール１０はヒンジ１２で取り付けられた蓋１３を有する箱状の形状であり、ヒンジ１２で回動させて蓋１３を閉めることによって、ポストホール１０内の親杭２１が露出しない状態にすることができる。蓋１３には蓋開閉用穴１４が設けてあり、フックを有する棒や指などをこの蓋開閉用穴１４に引っ掛けて持ち上げ、図２（ｃ）に示すようにヒンジ１２で回動させて蓋１３を開けることができる。
【００１９】
本実施形態では、２つの親杭固定ピン１５を設けており、この２つの親杭固定ピン１５はチェーン１５ａによって蓋１３の下面に吊り下げられている。
【００２０】
また、ポストホール１０は横矢板固定用溝１１ａを有する。天端１０２に埋設されたポストホール１０の隣り合ったもの同士の間には上述の横矢板固定用部材１１が埋設され、ポストホール１０の横矢板固定用溝１１ａは、横矢板固定用部材１１の溝３５と位置合わせされており、最下段の板である板２２−１の下方が嵌め込まれる。
【００２１】
図３は、本実施形態の可搬式越水防止装置における親杭を示す図であり、（ａ）は親杭の平面図であり、（ｂ）は（ａ）の正面図であり、（ｃ）は（ａ）を反時計回りに９０度回転させた平面図であり、（ｄ）は（ｃ）の正面図であり、（ｅ）は（ｃ）において親杭補強斜材を広げた状態の平面図であり、（ｆ）は（ｅ）の正面図である。
【００２２】
親杭２１は、横矢板２２を嵌め込む溝２８を有する親杭片２１ａおよび２１ｂを背中合わせに固着させた形状をしている。溝２８の横矢板２２を嵌め込む個所には遮水材であるゴムパッキン２５を設けて遮水性を高めてある。
【００２３】
親杭片２１ａおよび２１ｂを背中合わせにした個所には貫通孔２７が設けてあり、ポストホール１０に埋め込まれた親杭２１を引き上げる際には、この貫通孔２７に指を通すなどして持ち上げることができる。
【００２４】
また、親杭片２１ａおよび２１ｂには貫通孔２６が設けてあり、溝２８に横矢板２２を嵌め込んで、この貫通孔２６と後述する最下段の板２２−１の貫通孔３１とを位置合わせし、そこに親杭固定ピン１５を挿し込んで貫通させた状態にすることにより、親杭２１および横矢板２２の位置固定をし、親杭２１のポストホール１０への落下を防止することができる。
【００２５】
可搬式越水防止装置を設置した状態で河川１００の水位が上昇すると、親杭２１および横矢板２２には水圧がかかる。そこで、本実施形態ではこの水圧対策として親杭補強斜材２３を設けている。この親杭補強斜材２３は、軸２３ａを回転軸にして回動自在に設けられており、親杭２１をポストホール１０に収納する際にはこの親杭補強斜材２３を閉じた状態（図３（ｄ）参照）にし、可搬式越水防止装置を設置時には、河川１００とは反対の側に親杭補強斜材２３を回動させて広げた状態（３（ｆ）参照）にし、水圧に対する支えとする。
【００２６】
図４は、本実施形態の可搬式越水防止装置における横矢板を示す図であり、（ａ）は横矢板を構成する板のうち最下段の板の平面図であり、（ｂ）は最下段の板の正面図であり、（ｃ）は最下段の板の右側面図であり、（ｄ）は横矢板を構成する板のうち下から２番目、３番目および４番目（最上段）の板の平面図であり、（ｅ）は（ｃ）の板の正面図であり、（ｆ）は（ｃ）の板の右側面図である。
【００２７】
本実施形態では、横矢板２２を４枚の板２２−１、２２−２、２２−３および２２−４で構成している。これにより、横矢板２２の可搬性を向上するとともに、所定の親杭２１とその隣の親杭２１との間に横矢板２２を嵌め込む作業をしやすくする。板の枚数は４枚に限られるものではなく、必要に応じて増減することができる。
【００２８】
板２２−１は、所定の親杭２１とその隣の親杭２１との間に嵌め込まれたときに、貫通孔２６と位置合わせして親杭固定ピン１５を挿入する貫通孔３１を有する。また、板２２−１の上部にはホゾ穴３０を設けている。
【００２９】
板２２−２、２２−３および２２−４は同一の構造であり、下部に、下段の板のホゾ穴３０に嵌挿するホゾ３２を有し、上部に、上段の板のホゾ３２が嵌挿されるホゾ穴３０を有する。
【００３０】
図５は、本実施形態の可搬式越水防止装置における横矢板固定用部材を示す図であり、（ａ）は横矢板固定用部材の平面図であり、（ｂ）は横矢板固定用部材の正面図であり、（ｃ）は横矢板固定用部材の右側面図である。
【００３１】
横矢板固定用部材１１は上部に溝３５を有する。横矢板固定用部材１１は、所定のポストホール１０とその隣のポストホール１０との間の天端１１に平常時から埋設され、横矢板固定用部材１１の溝３５はポストホール１０の横矢板固定用溝１１ａと位置合わせされ、緊急時に可搬式越水防止装置を設置する際には板２２−１の下方が溝３５や横矢板固定用溝１１ａに嵌め込まれる。
【００３２】
図６は、本実施形態の可搬式越水防止装置の設置時の親杭近傍を示す斜視図である。
【００３３】
また、図７は、図６の破線で囲んだ部分Ａを拡大して示す斜視図である。
【００３４】
また、図８は、図６の破線で囲んだ部分Ｂを拡大して示す斜視図である。
【００３５】
さらに、図９は、図６の破線で囲んだ部分Ｃを拡大して示す斜視図である。
【００３６】
従来のように、洪水などの緊急時に、親杭を別の場所（たとえば水防小屋）から運び入れて設置するのは不利であることから、本実施形態の可搬式越水防止装置は、親杭２１を天端１０２の地中に埋込む方式としている。すなわち、ポストホール１０に支柱(親杭２１)を埋め込んでおき、大雨などで洪水が発生した緊急時にその支柱を引上げて親杭２１とする。ポストホール１０から引き上げた親杭２１は親杭固定ピン１５にてポストホール１０内への落下を防止する（図９参照）とともに、洪水時の水圧対策として親杭補強斜材２３を補強材として用いる（図８参照）。横矢板２２を嵌め込むスリット部分である溝２８にはゴムパッキン２５を設けて遮水性を高める（図７参照）。
【００３７】
横矢板２２は、地中から引き上げた親杭２１の溝２８に嵌め込むとともにその隣の親杭２１の溝２８に嵌め込むことによって、親杭２１とその隣の親杭２１との間に嵌め込んで固定する。
【００３８】
図７に示すように、溝２８に嵌め込まれた横矢板２２は、溝２８の両脇に設けたゴムパッキン２８が密着し、遮水性が向上される。
【００３９】
また、横矢板２２は、たとえば樹脂製にすることによって軽量化し可搬性を向上するのが望ましい。
【００４０】
横矢板２２は、平常時には天端１０２に敷設し、ジョギングやサイクリングなどの道路の一部として用いることもできる。このようにしておけば、横矢板２２をたとえば水防小屋に保管しておく場合と比べて、緊急時に可搬式越水防止装置を設置する際の横矢板２２を運ぶ距離を短縮でき、可搬式越水防止装置のスムーズな設置を行うことができる。
【００４１】
親杭補強斜材２３は、図８に示すように、軸２３ａによって親杭２１に固定されている。軸２３ａは、たとえばヒンジによって、親杭補強斜材２３を回動させる際の回転軸となる。親杭２１をポストホール１０に収納する際には、軸２３ａを軸にして親杭補強斜材２３を親杭２１に沿わせるように閉じる。このようにすることによって、ポストホール１０の大きさを、親杭補強斜材２３を広げた状態ほど大きくする必要がなく、親杭２１とほぼ同等の大きさにすることができる。
【００４２】
図９に示すように、親杭２１は、ポストホール１０から引き上げられた際に、貫通孔２６に親杭固定ピン１５を挿入することによって、再びポストホール１０内に落下しないようにされる。このとき、溝２８に横矢板２２が嵌め込まれている場合（図９の親杭片２１ｂ）には、貫通孔２６と、横矢板２２の板２２−１の貫通孔３１とを位置合わせし、これらを貫通するように親杭固定ピン１５を挿入する。一方、溝２８に横矢板２２が嵌め込まれていない場合（図９の親杭片２１ａ）には、貫通孔２６のみを貫通するように親杭固定ピン１５を挿入する。
【００４３】
親杭２１の貫通孔２６に親杭固定ピン１５を挿入して固定したとき、親杭２１の下部は、ポストホール１０から抜け切らずに、長さＤだけ地中すなわちポストホール１０内に残るようにするのが望ましい。長さＤはたとえば２０ｃｍ程度でよく、このようにすることにより、構造上、親杭２１とポストホール１０とを一体化することができ、水圧に対する抵抗力を高めることができる。
【００４４】
また、本実施形態では、横矢板２２と地面との間の遮水性を高め、かつ水圧による横矢板２２の堤内地側への変位を防ぐため、横矢板２２の接地部分にはあらかじめ横矢板固定用部材１１を埋設しておき、横矢板固定用部材１１の溝３５に、横矢板２２の板２２−１の下部を嵌挿する。
【００４５】
本実施形態の可搬式越水防止装置によれば、洪水時などの越流防止に用いることができ、また、緊急時の設置に際しては、経験・熟練を必要とせず、初めてでも簡単に施工可能であるという効果を奏する。
【００４６】
上述した本実施形態の可搬式越水防止装置の設置手順を以下に説明する。
【００４７】
まず、蓋開閉用穴１４を利用してポストホール１０の蓋１３を開ける。続いて、貫通孔２７を利用して親杭２１を引き上げる。引き上げた親杭２１は、貫通孔２６に親杭固定ピン１５を挿入することによってポストホール１０内に落下しないようにしておくのがよい。
【００４８】
続いて、所定の親杭２１とその隣の親杭２１との間に、上方から板２２−１を嵌め込む。このとき、板２２−１の貫通孔３１に対応する親杭固定ピン１５を一旦貫通孔２６から抜き取り、板２２−１の下部を横矢板固定用部材１１の溝３５に嵌め込むとともに貫通孔３１と貫通孔２６との位置合わせをしてから、貫通孔２６および３１に親杭固定ピン１５を挿入する。
【００４９】
その後、当該所定の親杭２１とその隣の親杭２１との間に、上方から板２２−２を嵌め込み、板２２−１のホゾ穴３０に板２２−２のホゾ３２を嵌め込み、順に、当該所定の親杭２１とその隣の親杭２１との間に、上方から板２２−３を嵌め込み、板２２−２のホゾ穴３０に板２２−３のホゾ３２を嵌め込み、当該所定の親杭２１とその隣の親杭２１との間に、上方から板２２−４を嵌め込み、板２２−３のホゾ穴３０に板２２−４のホゾ３２を嵌め込んで横矢板２２を形成し、本実施形態の可搬式越水防止装置の設置が完了する。
【００５０】
以下に、本実施形態の可搬式越水防止装置の各構成に対する要求性能の一例を記す。
【００５１】
（１）親杭２１
強度：設置後の高さは１ｍ程度を想定しているが、この場合満水時には下端に１０（ｋＮ／ｍ２）の水圧が生じるので、これに耐えうる強度が必要。
防食性：常時は地中設置を考慮するため、雨水や地下水により腐食しない材料であること。
施工性：簡単に組み立て、設置ができること。
これら要求性能を満たすため、親杭２１の素材軽量形鋼やＦＲＰ（繊維強化プラスチック）などを用いるのがよい。
【００５２】
（２）横矢板２２
強度：満水時は下端に１０（ｋＮ／ｍ２）の水圧が生じるので、これに耐えうる強度が必要。
防水性：漏水のないこと。
施工性：簡単に親杭２１に取り付け、設置ができること。
その他：満水時の浮力に耐え得ること。
これら要求性能を満たすため、横矢板２２の塩化ビニル樹脂プレートなどを用いるのがよい。また、横矢板２２の代わりに、布を用いてもよく、この場合、高強度止水シートなどなどを用いてもよい。また、満水時の浮力に耐え得る構成として、横矢板２２として浮力が小さい部材を用いるようにしてもよいし、横矢板２２の最上段の板２２−４の上部と親杭２１の上部とを固定する部材を設けるようにしてもよい。
【００５３】
（３）その他
親杭２１と横矢板２２、横矢板２２と地面、横矢板２２を構成する４枚の板同士の各部材には、それぞれ接続面が発生するが、この個所から漏水がない構造とする必要がある。これに対応し、本実施形態では、「ゴムパッキン２５」、「横矢板固定用部材１１の溝３５」、「ホゾ３２およびホゾ穴３０」を用いて各部材間の遮水性を高めている。
【００５４】
以上、説明した本発明の可搬式越水防止装置によれば、集中豪雨や洪水により都市部が冠水した場合、地下街や地下鉄入口から地下施設への浸水を防ぐ機能としても有効である。
【符号の説明】
【００５５】
１００  河川
１０１  堤防
１０２  堤防天端
１０  ポストホール
１１  横矢板固定用部材
１３  蓋
１５  親杭固定ピン
２１  親杭
２２  横矢板
２２−１、２２−２、２２−３、２２−４  板
２３  親杭補強斜材
【図１】
2011047150.tif 000003
【図２】
2011047150.tif 000004
【図３】
2011047150.tif 000005
【図４】
2011047150.tif 000006
【図５】
2011047150.tif 000007
【図６】
2011047150.tif 000008
【図７】
2011047150.tif 000009
【図８】
2011047150.tif 000010
【図９】
2011047150.tif 000011